(57)【特許請求の範囲】
【請求項１】
少なくとも二つの吊下げ環と、フックを両端に備える連結ベルトとをセットに揃え、吊下げ環を上掛けの裾両隅に取り付け、連結ベルトをベッドの本体側に回し込んでフックを裾両隅の吊下げ環に各々掛け止め、上掛けをズレ止め保持するに用いられるベッド用上掛けズレ止め具において、
上記吊下げ環は、フックの引掛け軸部と、引掛け軸部の両端より互いに平行方向に伸びる直線状の縦軸部と、縦軸部の軸端間に亘る直線状の基軸部とより折曲げ形成された止め環と、縦軸部の軸線を両端のスライド筒で支持させて縦軸部の軸線間に掛け渡す押え杆とからなり、
ベッドの上に敷かれる上掛けに対してフックの引掛け軸側を上側に位置する姿勢を基準にし、上掛けの裾隅を引掛け軸部の軸下側から押え杆との間に通し、且つ、押え杆を跨いで基軸部との間に通すと共に、上掛けの裾隅を基軸部と押え杆とで挟み込み、更に、環全体を反転させて上掛けの裾隅を基軸部と押え杆とで裾下に回し込ませ、ベッドの本体側に回し込んだ連結ベルトのフックを下向きの引掛け軸部に掛け止める器具として備え付けたことを特徴とするベッド用上掛けズレ止め具。
【請求項２】
平板状の基軸部を有する止め環を備え、平板状の押え杆を縦軸部の軸線間に掛け渡した吊下げ環を連結ベルトとセットに揃えてなることを特徴とする請求項１に記載のベッド用上掛けズレ止め具。
【請求項３】
上掛けの足裾回りをベッドに締め付けない程度のゆとりを持ってベッドの本体側から両側に亘る長さの連結ベルトを備えてなることを特徴とする請求項１または２に記載のベッド用上掛けズレ止め具。
【発明の詳細な説明】
【０００１】
【発明の属する技術分野】
本発明は、吊下げ環を上掛けの裾両隅に取り付け、連結ベルトをベッドの本体側に回し込んでベルト両端をフックで裾両隅の吊下げ環に各々掛け止め、上掛けをズレ止め保持するに用いられるベッド用上掛けズレ止め具に関するものである。
【０００２】
【従来の技術】
従来、ベッドの上掛けをズレ止めする器具としては種々のものが提案されている。それは、主に、マットレス等との間に挟み込んで上掛けの裾両端側に掛け渡す平帯ベルトと、平帯ベルトの両端部に備えられる面ファスナや鰐口クリップ等の止め具とを備えて構成されている（例えば、特許文献１，２等）。
【０００３】
その止め具のうち、面ファスナによる場合、雄，雌の面ファスナとしてベルト側だけでなく、上掛け側にも取り付ける必要があるところから、上掛けを縫製するに制約となる。また、鰐口クリップによる場合、就寝者が寝返りを打つ等に伴う引張り力に耐えられる程の挟持力を備えるものでないため、鰐口クリップが上掛けから外れてしまう虞れがある。
【０００４】
上述したベッド用上掛けズレ止め具では、病院や高齢者ホーム等の数多くのベッドを抱える場所で適用するとなると、止め具の外れを直したり等、個別に対応するのに大変な作業，労力を伴うことから実用性に欠ける。
【０００５】
【特許文献１】
特開平１０−３３７２３３号公報
【特許文献２】
特開２００１―３２１２５５号公報
【０００６】
【発明が解決しようとする課題】
本発明は、フックを両端部に備える連結ベルトの掛止め用として手間を要しないで上掛けの裾隅に外れないよう確実に止められることから、主として足裾回りのズレ止めに適用し、足回りの保温効果を高めて安眠を図れるベッド用上掛けズレ止め具を提供することを目的とする。
【０００７】
【課題を解決するための手段】
本発明の請求項１に係るベッド用上掛けズレ止め具においては、少なくとも二つの吊下げ環と、フックを両端に備える平帯ベルトとをセットに揃え、吊下げ環を上掛けの裾両隅に取り付け、連結ベルトをベッドの下部側に回し込んでフックを裾両隅の吊下げ環に各々掛け止めて上掛けをズレ止め保持するもので、
吊下げ環は、フックの引掛け軸部と、引掛け軸部の両端より互いに平行方向に伸びる直線状の縦軸部と、縦軸部の軸端間に亘る直線状の基軸部とより折曲げ形成された止め環と、縦軸部の軸線を両端のスライド筒で支持させて縦軸部の軸線間に掛け渡す押え杆とからなり、
ベッドの上に敷かれる上掛けに対してフックの引掛け軸側を上側に位置する姿勢を基準にし、上掛けの裾隅を引掛け軸部の軸下側から押え杆との間に通し、且つ、押え杆を跨いで基軸部との間に通すと共に、上掛けの裾隅を基軸部と押え杆とで挟み込み、更に、環全体を反転させて上掛けの裾隅を基軸部と押え杆とで裾下に回し込ませ、ベッドの本体側に回し込んだ連結ベルトのフックを下向きの引掛け軸部に掛け止める器具として備え付けるよう構成されている。
【０００８】
本発明の請求項２に係るベッド用上掛けズレ止め具においては、平板状の基軸部を止め環に設け、平板状の押え杆を縦軸部の軸線間に掛け渡した吊下げ環を連結ベルトとセットに揃えることにより構成されている。
【０００９】
本発明の請求項３に係るベッド用上掛けズレ止め具においては、上掛けの足裾回りをベッドに締め付けない程度のゆとりを持ってベッドの本体側から両側に亘る長さの連結ベルトを備えることにより構成されている。
【００１０】
【発明の実施の形態】
以下、添付図面を参照して説明すると、図示実施の形態は、図１で示すように二つの吊下げ環１，１と、フック２，２を両端部に備える連結ベルト３とをセットに揃えることによりベッド用上掛けズレ止め具として構成されている。また、吊下げ環１，１を上掛けＣの足裾両隅ｃ１，ｃ２に取り付け、連結ベルト３をベッドＢの本体側に回し込んでフック２，２を足裾両隅ｃ１，ｃ２の吊下げ環１，１に掛け止めることから、主に、上掛けＣの足回りをズレ止め保持するものとして構成されている。
【００１１】
吊下げ環１は、図２で示すように金属棒材の止め環１０と、金属板材の押え杆１１とから組み立てられている。止め環１０は、フック２の引掛け軸部１０ａと、引掛け軸部１０ａの両端より互いに平行方向に伸びる直線状の縦軸部１０ｂ，１０ｃと、縦軸部１０ｂ，１０ｃの軸端間に亘る直線状の基軸部１０ｄとを備えて折曲げ形成されている。押え杆１１は、両端を円筒状に湾曲形成したスライド筒１１ａ，１１ｂにより、縦軸部１０ｂ，１０ｃの軸線を支持することから縦軸部１０ｂ，１ｃの軸線間に掛渡し装着されている。
【００１２】
その構成中、基軸部１０ｄ並びに押え杆１１は後述するように上掛けの足裾隅を挟込み支持する部位となり、基軸部１０ｄが一本の金属棒材を折り曲げた軸端側を相対させて角を持った平板状に押潰し形成されている。また、押え杆１１も同様に平板材の角を持った部材で形成されている。引掛け軸部１０ａは、フック２を掛け止める部位として半円状に湾曲形成されている。この引掛け軸部１０ａは、半円状に湾曲形成する他に、中央の軸線部分をＵ字状に湾曲させて中括弧状に形成することによりフックをＵ字状の軸線部分で位置決め係止するようにも形成できる。
【００１３】
フック２としては、簡略な側面略Ｊ字状を呈するもの、或いは側面略Ｆ字状を呈するフック本体を有し、略Ｆ字の下顎部から上顎部に向かってバネ付勢されたストッパピンや下顎部または上顎部に枢着された基部を支点として内側にバネ変位可能なスナップを設けたものを備え付けられる。連結ベルト３としては、平帯状のゴムベルトや平織り状の布ベルト（以下、単に「平帯ベルト」という。）或いはロープ等を備え付けられる。
【００１４】
このように構成する吊下げ環１では、図３で示す如くベッドの上に敷かれる上掛けＣに対してフック２の引掛け軸部１０ａを上側に位置する姿勢を基準に、上掛けＣの足裾隅ｃ１を引掛け軸部１０ｄの軸下側から押え杆１１との間に通し、且つ、図４で示すように押え杆１１を跨いで基軸部１０ｄとの間に通すと共に、図５で示すように押え杆１１をスライド筒１１ａ，１１ｂで基軸部１０ｄに近接させて上掛けＣの足裾隅ｃ１を基軸部１０ｄと押え杆１１とで挟み込む。
【００１５】
その足裾隅ｃ１の挟込み状態から、図６で示すように環全体を反転させ、上掛けＣの足裾隅ｃ１を基軸部１０ｄと押え杆１１とで裾下に回し込ませるという簡単な作業により、吊下げ環１を上掛けＣの足裾隅ｃ１，ｃ２に取り付けられる。これと併行し、連結ベルト３をベッドＢの下部側に回し込んでフック２，２を足裾両隅ｃ１，ｃ２の吊下げ環１，１に掛け止めればよい。
【００１６】
その連結ベルト３の掛止め状態では、就寝者が寝返りを打つ等に伴う引張り力（矢印参照）が加わっても、吊下げ環１，１が連結ベルト３で下方に引張られていると共に、図７で示すように押え杆１１が上掛けＣの足裾隅ｃ１を基軸部１０ｄとで挟み込む方向に引張られるため、吊下げ環１が外れ出すことがない。
【００１７】
それに加えて、基軸部１０ｄが角を持った平板状に押潰し形成されていると共に、押え杆１１も同様に角を持った部材で形成されているため、上掛けＣの足裾隅ｃ１が基軸部１０ｄと押え杆１１との間からずれ出さない。これにより、ベッドＢの下部側に回し込んだ平帯ベルト３のフック２，２’を下向きの引掛け軸部１０ａに掛け止める器具として上掛けＣの足裾側を確実にズレ止め保持できる。
【００１８】
その吊下げ環１，１には、上掛けＣの足裾回りをベッドＢに締め付けない程度のゆとりを持ってベッドＢの下部側から両側に亘る長さの平帯ベルト３を備えるとよい。これにより、就寝者に圧迫感を与えるのを防げると共に、上掛けＣの足裾側を確実にズレ止めできて足回りの保温効果を高められるため、就寝中の小用を催すような浅い眠りより開放されて安眠が得られる。また、血圧が安定する等の医療効果も得られる。
【００１９】
上述した実施の形態では、ベッド用上掛けズレ止め具は好適な実施の形態として足裾隅をズレ止め保持する場合に基づいて説明したが、これを必要に応じて上掛けの肩裾隅や中腹隅に適用することもできる。
【００２０】
本明細書中で用いた用語及び表現は単に説明のために用いたものに過ぎず、本発明の内容を何ら限定するものではない。仮に、限定的な用語や表現を用いたとしても、そのことにより、上述した本発明の形態と均等なものやその一部を排除する意図はない。本発明は、権利が要求されている特許請求の範囲内で種々の変更が加えられる。
【００２１】
【発明の効果】
以上の如く、本発明に係るベッド用上掛けズレ止め具に依れば、フックの引掛け軸部と、引掛け軸部の両端より互いに平行方向に伸びる直線状の縦軸部と、縦軸部の軸端間に亘る直線状の基軸部とより折曲げ形成された止め環と、縦軸部の軸線を両端のスライド筒で支持させて縦軸部の軸線間に掛け渡す押え杆とからなり、
ベッドの上に敷かれる上掛けに対してフックの引掛け軸側を上側に位置する姿勢を基準にし、上掛けの裾隅を引掛け軸部の軸下側から押え杆との間に通し、且つ、押え杆を跨いで基軸部との間に通すと共に、上掛けの裾隅を基軸部と押え杆とで挟み込み、更に、環全体を反転させて上掛けの裾隅を基軸部と押え杆とで裾下に回し込ませ、ベッドの本体側に回し込んだ連結ベルトのフックを下向きの引掛け軸部に掛け止める吊下げ環を備えることにより、手間を要しないで上掛けの裾隅に外れないよう吊下げ環を確実に止められるため、主として足裾回りのズレ止めに適用し、足回りの保温効果を高めて安眠を図れる。
【図面の簡単な説明】
【図１】  本発明に係るベッド用上掛けズレ止め具の使用形態を示す説明図である。
【図２】  本発明に係るベッド用上掛けズレ止め具をフック掛けベルトと共に示す斜視図である。
【図３】  本発明に係るベッド用上掛けズレ止め具の上掛けに対する取付け基準姿勢を示す説明図である。
【図４】  図３に引き続くベッド用上掛けズレ止め具の上掛けに対する取付け手順を示す説明図である。
【図５】  図４に引き続くベッド用上掛けズレ止め具の上掛けに対する取付け手順を示す説明図である。
【図６】  図５に引き続くベッド用上掛けズレ止め具の上掛けに対する取付け手順を示す説明図である。
【図７】  図６におけるベッド用上掛けズレ止め具の上掛けに対する取付け構造を示す断面図である。
【符号の説明】
Ｂ                  ベッド
Ｃ                  ベッド用上掛け
ｃ１，ｃ２            上掛けの裾隅
１                  吊下げ環
１０                止め環
１０ａ              止め環の引掛け軸部
１０ｂ，１０ｃ      止め環の縦軸部
１０ｄ              止め環の基軸部
１１                押え杆
１１ａ，１１ｂ      押え杆のスライド筒
２，２              フック
３                  連結（平帯）ベルト
【図１】
0004352372.tif 000002
【図２】
0004352372.tif 000003
【図３】
0004352372.tif 000004
【図４】
0004352372.tif 000005
【図５】
0004352372.tif 000006
【図６】
0004352372.tif 000007
【図７】
0004352372.tif 000008